(57)【要約】【課題】意図しない停止の発生を抑制する技術を提供する。【解決手段】携帯機１０における第１通信部１１０は、携帯機１０から車載器２０への片方向の第１通信を実行する。携帯機１０における第２通信部１１２は、携帯機１０と車載器２０と間の双方向の第２通信を実行する。携帯機１０における制御部１０２は、第１通信部１１０が車載器２０に信号を送信してから、第２通信部１１２が車載器２０からの信号を受信した場合に、第２通信部１１２を停止させる。【選択図】図３
2018145748.tif 000002
【特許請求の範囲】
【請求項１】
車載器への片方向の第１通信を実行する第１通信部と、
前記車載器との双方向の第２通信を実行する第２通信部と、
前記第１通信部が前記車載器に信号を送信してから、前記第２通信部が前記車載器からの信号を受信した場合に、前記第２通信部を停止させる制御部と、
を備えることを特徴とする携帯機。
【請求項２】
前記第１通信部が送信する信号には、本携帯機を識別するための情報が含まれ、
前記第２通信部が受信する信号には、本携帯機を識別するための情報と、前記第２通信部を停止させるコマンドが含まれることを特徴とする請求項１に記載の携帯機。
【請求項３】
前記制御部は、前記第１通信部が前記車載器に信号を送信してから、前記第２通信部が前記車載器からの信号を受信した場合に、前記第２通信部に前記車載器へのレスポンス信号を送信させてから、前記第２通信部を停止させることを特徴とする請求項１または２に記載の携帯機。
【請求項４】
前記第２通信部が停止している場合に、ユーザからの操作を受けつける操作部をさらに備え、
前記制御部は、前記操作部が予め定められたパターンの操作を受けつけた場合、前記第２通信部を動作させることを特徴とする請求項１から３のいずれかに記載の携帯機。
【請求項５】
車両に搭載される車載器であって、
携帯機からの片方向の第１通信を実行する第１通信部と、
前記携帯機との双方向の第２通信を実行する第２通信部とを備え、
前記第２通信部は、前記第１通信部において受信した信号に示された前記車両のドアロックの指示と、前記車両のドアロックの状態とが合っている場合に、前記携帯機に信号を送信し、前記第１通信部において受信した信号に示された前記車両のドアロックの指示と、前記車両のドアロックの状態とが異なっている場合に、前記携帯機への信号を非送信とすることを特徴とする車載器。
【請求項６】
前記第１通信部において受信した信号に示された指示は、ドアロックの施錠であり、
前記第２通信部は、前記車両のドアロックがなされていれば前記携帯機に信号を送信し、前記車両がアンロックであれば前記携帯機への信号を非送信とすることを特徴とする請求項５に記載の車載器。
【請求項７】
前記第１通信部が受信する信号には、前記携帯機を識別するための情報が含まれ、
前記第２通信部が送信する信号には、前記携帯機を識別するための情報と、前記携帯機における第２通信を停止させるコマンドが含まれることを特徴とする請求項５または６に記載の車載器。
【発明の詳細な説明】
【技術分野】
【０００１】
本発明は、通信技術に関し、特に車両用無線通信システムにおける携帯機および車載器に関する。
【背景技術】
【０００２】
スマートエントリーシステムでは、車両から定期的に送信された認証要求信号を受信した電子キーが認証応答信号を送信し、これを受信した車両において認証応答信号の認証に成功した場合に、解錠がなされる。このような電子キーにおいて特定の操作を行った場合に、スマートエントリー機能が停止される（例えば、特許文献１参照）。
【先行技術文献】
【特許文献】
【０００３】
【特許文献１】特開２００８−２２３２７３号公報
【発明の概要】
【発明が解決しようとする課題】
【０００４】
電子キーをカバンあるいはポケットに入れて移動する場合に、電子キーが他の荷物と接触することによって、特定の操作がなされてしまう場合がある。それによって、ユーザが意図していないにもかかわらずスマートエントリー機能が停止されてしまい、ユーザがスマートエントリー機能を使用したい場面においても使用できない。その際、ユーザは、スマートエントリー機能を動作させる操作を行う必要あり、ユーザにとって不便である。
【０００５】
本発明はこうした状況に鑑みてなされたものであり、その目的は、意図しない停止の発生を抑制する技術を提供することにある。
【課題を解決するための手段】
【０００６】
上記課題を解決するために、本発明のある態様の携帯機は、車載器への片方向の第１通信を実行する第１通信部と、車載器との双方向の第２通信を実行する第２通信部と、第１通信部が車載器に信号を送信してから、第２通信部が車載器からの信号を受信した場合に、第２通信部を停止させる制御部と、を備える。
【０００７】
本発明の別の態様は、車載器である。この車載器は、車両に搭載される車載器であって、携帯機からの片方向の第１通信を実行する第１通信部と、携帯機との双方向の第２通信を実行する第２通信部とを備える。第２通信部は、第１通信部において受信した信号に示された車両のドアロックの指示と、車両のドアロックの状態とが合っている場合に、携帯機に信号を送信し、第１通信部において受信した信号に示された車両のドアロックの指示と、車両のドアロックの状態とが異なっている場合に、携帯機への信号を非送信とする。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、意図しない停止の発生を抑制できる。
【図面の簡単な説明】
【００１０】
【図１】図１（ａ）−（ｃ）は、実施例の車両用無線通信システムによるスマート通信の概要を示す図である。
【図２】図２（ａ）−（ｂ）は、実施例の車両用無線通信システムによるキーレス通信の概要を示す図である。
【図３】実施例の車両用無線通信システムの構成を示す図である。
【図４】図３の車両用無線通信システムによる停止手順を示すシーケンス図である。
【図５】図３の携帯機による停止手順を示すフローチャートである。
【図６】図３の車載器による停止手順を示すフローチャートである。
【発明を実施するための形態】
【００１１】
本発明を具体的に説明する前に、概要を述べる。本発明の実施例は、車両に搭載された車載器と、ユーザに所持された携帯機（電子キー）との間において、車両のドアロックを施錠あるいは解錠するための無線通信を実行する車両用無線通信システムに関する。車載器と携帯機との間で無線通信を実行する車両用無線通信システムにおいて、２種類の通信シーケンスが定義される。１種類目は、車載器と携帯機との間で双方向通信を実行する通信シーケンスであり、「スマート通信」と呼ばれる。スマート通信は、前述のスマートエントリー機能において使用される。２種類目は、携帯機から車載器への一方向通信を実行する通信シーケンスであり、「キーレス通信」と呼ばれる。
【００１２】
携帯機の電池消耗抑制、リレーアタック対策の目的で携帯機のスマート通信を停止することが求められる。しかしながら、前述のごとく、スマート通信の停止がユーザの意図とは別になされてしまう場合、ユーザにとって不便が生じる。意図しないスマート通信の停止の発生を抑制するために、本実施に係る車両用無線通信システムでは、車両が施錠された状態において、キーレス通信による施錠、スマート通信が順に実行された場合に、スマート通信が停止される。
【００１３】
図１（ａ）−（ｃ）は、車両用無線通信システム１０００によるスマート通信の概要を示す。スマート通信は、スマートエントリー方式、スマートキー方式、パッシブキーレスエントリー（ＰＫＥ：Ｐａｓｓｉｖｅ  Ｋｅｙｌｅｓｓ  Ｅｎｔｒｙ）方式とも呼ばれる。図１（ａ）は、車両用無線通信システム１０００による解錠動作を示す。車両用無線通信システム１０００は、携帯機１０、車載器２０を含み、車載器２０は、車両５０に搭載される。車両５０のドアロックが施錠されている状況において、携帯機１０を携帯するユーザ、つまり車両５０に乗り込もうとするユーザは、車両５０のドアノブに触れる。車両５０のドアノブが触れられたことをトリガとして、車載器２０は、探索信号を携帯機１０に送信する。探索信号は、ＬＦ（Ｌｏｗ  Ｆｒｅｑｕｅｎｃｙ）の信号、例えば、１２５ｋＨｚ帯の信号である。ＬＦの信号の通信距離は、車両５０から２ｍ程度の範囲に限定される。
【００１４】
図１（ｂ）は、探索信号のフォーマットを示す。探索信号は、認証コマンド、ＲＳＳＩ（Ｒｅｃｅｉｖｅｄ  Ｓｉｇｎａｌ  Ｓｔｒｅｎｇｔｈ  Ｉｎｄｉｃａｔｏｒ）用バーストを順に配置する。認証コマンドには、携帯機１０を識別するためのキーＩＤ、スマート通信によって実行させる機能、例えばドアロックの解錠を指示するための機能コマンド等が含まれる。キーＩＤは、スマート通信において携帯機１０を識別するためのＩＤである。また、認証コマンドは暗号化されている。ＲＳＳＩ用バーストは、携帯機１０に受信信号強度を測定させるための信号である。ＲＳＳＩ用バーストはこれまで通り使用されればよいので、ここでは説明を省略する。図１（ａ）に戻る。
【００１５】
携帯機１０は、探索信号を受信すると、認証コマンドの内容を解読する。携帯機１０は、認証コマンドに含まれたキーＩＤをもとに、正当な車載器２０からの探索信号であることを認識すると、レスポンス信号を車載器２０に送信する。レスポンス信号は、ＵＨＦ（Ｕｌｔｒａ  Ｈｉｇｈ  Ｆｒｅｑｕｅｎｃｙ）の信号、例えば、３００ＭＨｚ帯の信号である。なお、ＵＨＦの信号は、ＲＦ（Ｒａｄｉｏ  Ｆｒｅｑｕｅｎｃｙ）の信号とも呼ばれる。図１（ｃ）は、レスポンス信号のフォーマットを示す。レスポンス信号は、プリアンブル、同期信号、データを順に配置する。プリアンブル、同期信号は、携帯機１０と車載器２０との間の通信を成立させるために使用される既知の信号である。データは、順番ＩＤ、レスポンスコードを含む。順番ＩＤは、車載器２０と携帯機１０との組合せを識別するためのＩＤであり、キーＩＤに対応づけられる。レスポンスコードは、認証コマンドに対応した信号であることを示すための情報である。これらには公知の技術が使用されればよいので、ここでは説明を省略する。図１（ａ）に戻る。
【００１６】
車載器２０は、レスポンス信号を受信する。車載器２０は、レスポンス信号に含まれた順番ＩＤ、レスポンスコードをもとに、既に送信した探索信号に対する応答を携帯機１０から受けつけたと判定すれば、車両５０のドアロックを解錠させる。なお、車両５０のドアロックの施錠に対しても、主に機能コマンドの内容が変わるだけで同様の処理がなされる。
【００１７】
図２（ａ）−（ｂ）は、車両用無線通信システム１０００によるキーレス通信の概要を示す。携帯機１０は、ユーザによってドアロック解錠の操作がなされると、キーレス信号を車載器２０に送信する。ユーザによるドアロック解錠の操作は、例えば、携帯機１０に設けられたボタン（図示せず）が押し下げられることである。また、キーレス信号は、レスポンス信号と同一の周波数帯の信号である。
【００１８】
図２（ｂ）は、キーレス信号のフォーマットを示す。キーレス信号は、プリアンブル、同期信号、データを順に配置する。プリアンブル、同期信号は、レスポンス信号におけるそれらと同一である。データは、機能コマンド、キーレスＩＤ、ローリングコードを含む。機能コマンドは、キーレス通信によって実行させる機能、例えばドアロックの解錠の指示を特定するための情報を示す。キーレスＩＤは、キーレス通信において携帯機１０を識別するためのＩＤであり、前述のキーＩＤと１対１で対応づけられる。ローリングコードは、携帯機１０からのキーレス信号の送信毎に増加する値を示し、例えば２バイトで示される。具体的には、キーレス信号の送信毎にローリングコードの値は「１」ずつ増加する。図２（ａ）に戻る。
【００１９】
車載器２０は、キーレス信号を受信する。車載器２０は、キーレス信号に含まれたキーレスＩＤ、ローリングコードをもとに、車両５０のドアロックを解錠させるか否かを判定する。なお、車両５０のドアロックの施錠に対しても、主に機能コマンドの内容が変わるだけで同様の処理がなされる。
【００２０】
図３は、車両用無線通信システム１０００の構成を示す。車両用無線通信システム１０００は、前述のごとく、携帯機１０、車載器２０を含み、車載器２０は、車両５０に搭載される。携帯機１０は、操作部１００、制御部１０２、ＵＨＦ送信部１０４、ＬＦ受信部１０６、第１通信部１１０、第２通信部１１２を含む。車載器２０は、ＵＨＦ受信部２００、制御部２０２、ＬＦ送信部２０４、第１通信部２１０、第２通信部２１２を含む。車両５０は、ＥＣＵ（Ｅｌｅｃｔｒｏｎｉｃ  Ｃｏｎｔｒｏｌ  Ｕｎｉｔ）５２、ドアロック機構５４を含む。
【００２１】
携帯機１０の操作部１００は、キーレス通信において使用されるボタンに相当し、ユーザが車両５０のドアロック施錠を要求する場合に押し下げられる。ここでは、ドアロック機構５４が施錠されているにもかかわらず、ドアロック施錠が要求される場合を想定する。操作部１００は、押し下げられた場合に、押下げを制御部１０２に通知する。制御部１０２は、操作部１００からの通知を受けつけると、施錠が指示された機能コマンド、キーレスＩＤを含めるようにキーレス信号を生成する。キーレス信号のフォーマットは前述の通りである。制御部１０２は、キーレス信号をＵＨＦ送信部１０４に出力する。ＵＨＦ送信部１０４は、制御部１０２からキーレス信号を入力すると、キーレス信号を車載器２０に送信する。このように、制御部１０２、ＵＨＦ送信部１０４は、本携帯機１０を識別するためのキーレスＩＤを含むキーレス信号によって、車載器２０にドアロックの施錠を要求する。
【００２２】
車載器２０のＵＨＦ受信部２００は、携帯機１０からのキーレス信号を受信する。ＵＨＦ受信部２００は、キーレス信号を制御部２０２に出力する。制御部２０２は、ＵＨＦ受信部２００からのキーレス信号を受けつけると、キーレス信号から機能コマンド、キーレスＩＤ、ローリングコードとを抽出する。制御部２０２は、抽出したキーレスＩＤと、予め保持したキーレスＩＤとをもとに、ペア認証を実行する。ペア認証には公知の技術が使用されればよいので、ここでは説明を省略する。ペア認証が成功した場合、制御部２０２は、ローリングコードが所定の条件を満たしているかを判定し、所定の条件を満たしている場合に、機能コマンドの実行を決定する。一方、ペア認証が失敗した場合、あるいはローリングコードが所定の条件を満たしていない場合、制御部２０２は、機能コマンドの非実行を決定する。
【００２３】
制御部２０２は、機能コマンドの実行を決定した場合、ドアロック機構５４の状態、つまり施錠状態であるか、解錠状態であるかを確認する。この状態は、制御部２０２において管理されていてもよいし、制御部２０２がＥＣＵ５２を介してドアロック機構５４に確認してもよい。前述のごとく、ドアロック機構５４が解錠されている場合、つまり車両５０のドアロックがなされていない場合、制御部２０２は、機能コマンドに示された施錠の指示にしたがって、ＥＣＵ５２を介してドアロック機構５４を施錠する。これは、通常のキーレス通信による解錠であるので、処理はこれで終了し、制御部２０２はスマート通信における探索信号の非送信を決定する。
【００２４】
一方、ドアロック機構５４が施錠されている場合、つまり車両５０のドアロックがなされている場合、制御部２０２は、機能コマンドにおいても施錠の指示が示されていれば、スマート通信における探索信号の送信を決定する。制御部２０２は、探索信号を生成する。その際、認証コマンドには、携帯機１０を識別するためのキーＩＤと、携帯機１０におけるスマート通信を停止させるためのコマンドが含まれる。前述のごとく、キーＩＤは、キーレスＩＤと１対１で対応しており、対応関係は制御部２０２において管理されている。制御部２０２は、探索信号をＬＦ送信部２０４に出力する。ＬＦ送信部２０４は、探索信号を携帯機１０に送信する。
【００２５】
携帯機１０のＬＦ受信部１０６は、車載器２０からの探索信号を受信する。ＬＦ受信部１０６は、探索信号を制御部１０２に出力する。制御部１０２は、探索信号に含まれたキーＩＤ、スマート通信を停止させるためのコマンドを抽出する。制御部１０２は、予め保持するキーＩＤと、抽出したキーＩＤとをもとに、ペア認証を実行する。ペア認証が失敗した場合、後述の処理は実行されない。一方、ペア認証が成功した場合、制御部１０２は、レスポンス信号を生成するとともに、抽出したコマンドにしたがって、スマート通信を停止することを決定する。スマート通信の停止については後述する。制御部１０２は、レスポンス信号をＵＨＦ送信部１０４に出力する。ＵＨＦ送信部１０４は、レスポンス信号を車載器２０に送信する。
【００２６】
車載器２０のＵＨＦ受信部２００は、携帯機１０からのレスポンス信号を受信する。なお、ＬＦ送信部２０４が探索信号を送信してから一定期間にわたって、ＵＨＦ受信部２００がレスポンス信号を受信しない場合、制御部２０２は探索信号をＬＦ送信部２０４から再送させてもよい。
【００２７】
ここで、携帯機１０から車載器２０への片方向のキーレス通信を「第１通信」と呼ぶ場合、携帯機１０と車載器２０との双方向のスマート通信は「第２通信」と呼ばれる。ＵＨＦ送信部１０４における第１通信部１１０と、ＵＨＦ受信部２００における第１通信部２１０が、キーレス通信のために使用される。また、ＵＨＦ送信部１０４とＬＦ受信部１０６における第２通信部１１２と、ＵＨＦ受信部２００とＬＦ送信部２０４とにおける第２通信部２１２が、スマート通信のために使用される。
【００２８】
携帯機１０の制御部１０２は、スマート通信を停止することを決定した場合、第２通信部１１２を停止させる。ここで、制御部１０２は、第２通信部１１２にレスポンス信号を送信させてから第２通信部１１２を停止してもよく、第２通信部１１２にレスポンス信号を送信させる前に第２通信部１１２を停止してもよい。後者の場合、レスポンス信号は送信されない。
【００２９】
以下では、携帯機１０における第２通信部１１２の停止を解除するための処理を説明する。操作部１００は、予め定められたパターンの操作を受けつける。予め定められたパターンの操作の一例は、解錠のためのボタンと施錠のためのボタンとが交互に５回以上押し下げられることである。操作部１００は、予め定められたパターンの操作を受けつけたことを制御部１０２に通知する。制御部１０２は、操作部１００からの通知を受けつけた場合、第２通信部１１２を動作させる。
【００３０】
また、ユーザが車両５０に乗り込み、イモビライザー通信によってエンジンが始動した場合に、制御部１０２は第２通信部１１２を動作させてもよい。なお、イモビライザー通信によってエンジンが始動したことを携帯機１０が認識するための構成には公知の技術が使用されればよいので、ここでは説明を省略する。さらに、携帯機１０の電池が抜き差しされた場合に、制御部１０２は第２通信部１１２を動作させてもよい。
【００３１】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３２】
以上の構成による車両用無線通信システム１０００の動作を説明する。図４は、車両用無線通信システム１０００による停止手順を示すシーケンス図である。携帯機１０は、キーレス信号を送信する（Ｓ１０）。車載器２０は、ドアロックを確認する（Ｓ１２）。車載器２０は、探索信号を送信する（Ｓ１４）。携帯機１０は、レスポンス信号を送信する（Ｓ１６）。携帯機１０は、第２通信部１１２を停止する（Ｓ１８）。
【００３３】
図５は、携帯機１０による停止手順を示すフローチャートである。操作部１００は操作を受けつける（Ｓ５０）。ＵＨＦ送信部１０４は、キーレス信号を送信する（Ｓ５２）。ＬＦ受信部１０６が探索信号を受信した場合（Ｓ５４のＹ）、ＵＨＦ送信部１０４は、レスポンス信号を送信し（Ｓ５６）、制御部１０２は、第２通信部１１２を停止させる（Ｓ５８）。ＬＦ受信部１０６が探索信号を受信しない場合（Ｓ５４のＮ）、処理は終了される。
【００３４】
図６は、車載器２０による停止手順を示すフローチャートである。ＵＨＦ受信部２００は、施錠が指示されたキーレス信号を受信する（Ｓ１００）。ドアロック機構５４が施錠中であれば（Ｓ１０２のＹ）、ＬＦ送信部２０４は、探索信号を送信する（Ｓ１０４）。ＵＨＦ受信部２００がレスポンス信号を受信せず（Ｓ１０６のＮ）、探索信号の最大再送回数に達していなければ（Ｓ１０８のＮ）、ステップ１０４に戻る。ＵＨＦ受信部２００がレスポンス信号を受信した場合（Ｓ１０６のＹ）、あるいは探索信号の最大再送回数に達した場合（Ｓ１０８のＹ）、処理は終了される。ドアロック機構５４が施錠中でなければ（Ｓ１０２のＮ）、ＥＣＵ５２ドアロック機構５４を施錠する（Ｓ１１０）。
【００３５】
本実施例によれば、携帯機は、車載器にキーレス信号を送信してから、車載器からの探索信号を受信した場合に、携帯機の第２通信部を停止させるので、意図的な処理によって第２通信部を停止できる。また、意図的な処理によって携帯機の第２通信部が停止されるので、意図しない停止の発生を抑制できる。また、携帯機が受信した探索信号に、携帯機の第２通信部を停止させるコマンドが含まれるので、コマンドにしたがって第２通信部を停止させることができる。また、携帯機は、車載器へのレスポンス信号を送信させてから、携帯機の第２通信部を停止させるので、レスポンス信号を送信できる。また、携帯機は、レスポンス信号を送信するので、スマート通信の通常の手順を実行できる。また、携帯機は、予め定められたパターンの操作を受けつけた場合に携帯機の第２通信部を動作させるので、簡易な操作で動作させることができる。
【００３６】
また、車載器は、携帯機からの信号をキーレス受信した場合に、車両のドアロックがなされていれば携帯機に探索信号を送信するので、通常の処理とは異なった手順による探索信号を送信できる。車載器は、通常の処理とは異なった手順によって探索信号が送信されるので、当該探索信号を携帯機の第２通信部を停止させるための指示信号に使用できる。また、車載器は、車両のドアロックがなされていることが条件であるので、ユーザの意図による処理を実行できる。また、車載器は、送信する探索信号に、スマート通信を停止させるコマンドが含まれるので、スマート通信を停止させることができる。
【００３７】
本発明の一態様の概要は、次の通りである。本発明のある態様の携帯機は、車載器への片方向の第１通信を実行する第１通信部と、車載器との双方向の第２通信を実行する第２通信部と、第１通信部が車載器に信号を送信してから、第２通信部が車載器からの信号を受信した場合に、第２通信部を停止させる制御部と、を備える。
【００３８】
この態様によると、車載器に信号を送信してから、車載器からの信号を受信した場合に、第２通信部を停止させるので、意図しない停止の発生を抑制できる。
【００３９】
第１通信部が送信する信号には、本携帯機を識別するための情報が含まれ、第２通信部が受信する信号には、本携帯機を識別するための情報と、第２通信部を停止させるコマンドが含まれる。この場合、受信した信号に、第２通信部を停止させるコマンドが含まれるので、第２通信部を停止させることができる。
【００４０】
制御部は、第１通信部が車載器に信号を送信してから、第２通信部が車載器からの信号を受信した場合に、第２通信部に車載器へのレスポンス信号を送信させてから、第２通信部を停止させてもよい。この場合、車載器へのレスポンス信号を送信させてから、第２通信部を停止させるので、レスポンス信号を送信できる。
【００４１】
第２通信部が停止している場合に、ユーザからの操作を受けつける操作部をさらに備えてもよい。制御部は、操作部が予め定められたパターンの操作を受けつけた場合、第２通信部を動作させてもよい。この場合、予め定められたパターンの操作を受けつけた場合に第２通信部を動作させるので、簡易な操作で動作させることができる。
【００４２】
本発明の別の態様は、車載器である。この車載器は、車両に搭載される車載器であって、携帯機からの片方向の第１通信を実行する第１通信部と、携帯機との双方向の第２通信を実行する第２通信部とを備える。第２通信部は、第１通信部において受信した信号に示された車両のドアロックの指示と、車両のドアロックの状態とが合っている場合に、携帯機に信号を送信し、第１通信部において受信した信号に示された車両のドアロックの指示と、車両のドアロックの状態とが異なっている場合に、携帯機への信号を非送信とする。
【００４３】
この態様によると、携帯機からの信号に示されたドアロックの指示と、車両のドアロックの状態が合っていれば、携帯機に信号を送信するので、通常の処理とは異なった手順によって信号を送信できる。
【００４４】
第１通信部において受信した信号に示された指示は、ドアロックの施錠であり、第２通信部は、車両のドアロックがなされていれば携帯機に信号を送信し、車両がアンロックであれば携帯機への信号を非送信としてもよい。この場合、携帯機からの信号を受信した場合に、車両のドアロックがなされていれば携帯機に信号を送信するので、通常の処理とは異なった手順によって信号を送信できる。
【００４５】
第１通信部が受信する信号には、携帯機を識別するための情報が含まれ、第２通信部が送信する信号には、携帯機を識別するための情報と、携帯機における第２通信を停止させるコマンドが含まれる。この場合、送信する信号に、第２通信を停止させるコマンドが含まれるので、第２通信を停止させることができる。
【００４６】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４７】
実施例において、ＵＨＦ送信部１０４、ＵＨＦ受信部２０６は、ＵＨＦの信号を使用する。しかしながらこれに限らず例えば、ＵＨＦの信号以外であって、かつＬＦよりも高い周波数の信号が使用されてもよい。本変形例によれば、構成の自由度を向上できる。
【００４８】
実施例において、車載器２０は、キーレス信号に施錠の指示が含まれ、ドアロック機構５４が施錠されている場合に、探索信号を送信している。しかしながらこれに限らず例えば、車載器２０は、キーレス信号に解錠の指示が含まれ、ドアロック機構５４が解錠されている場合に、探索信号を送信してもよい。つまり、キーレス信号に示された車両５０のドアロックの指示と、車両５０のドアロックの状態とが合っている場合に、探索信号を送信し、両者が異なっている場合に、探索信号を非送信とすればよい。本変形例によれば、構成の自由度を向上できる。
【符号の説明】
【００４９】
１０  携帯機、  ２０  車載器、  ５０  車両、  ５２  ＥＣＵ、  ５４  ドアロック機構、  １００  操作部、  １０２  制御部、  １０４  ＵＨＦ送信部、  １０６  ＬＦ受信部、  １１０  第１通信部、  １１２  第２通信部、  ２００  ＵＨＦ受信部、  ２０２  制御部、  ２０４  ＬＦ送信部、  ２１０  第１通信部、  ２１２  第２通信部、  １０００  車両用無線通信システム。
【図１】
2018145748.tif 000003
【図２】
2018145748.tif 000004
【図３】
2018145748.tif 000005
【図４】
2018145748.tif 000006
【図５】
2018145748.tif 000007
【図６】
2018145748.tif 000008